(57)【要約】【課題】  入隅部用保護カバーを構成する蓋体における壁面に貫通孔が形成された側の先端部の浮き上がりを、ビスを使用せずに防止することである。【解決手段】  入隅部Ａを構成していて、貫通孔Ｈが明けられた第１壁面Ｗ1 に、基台Ｖ1 の基台基部１が当該貫通孔Ｈに近接させて固定配置され、基台Ｖ1 の基台延設部２を構成する特定の小片板部１１は、入隅部Ａを構成する第１及び第２の各壁面Ｗ1 ，Ｗ2 に対して傾斜配置されて、傾斜基台延設部２ａとして機能し、前記基台Ｖ1 に対して嵌合構造により組み付けられた蓋体Ｌ1 に形成された係止突起３１は、前記傾斜基台延設部２ａに対して係止される。【選択図】  図１１
2019190689.tif 000002
【特許請求の範囲】
【請求項１】
建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーであって、
前記第１壁面に固定される基台基部に、配線・配管材の配設方向に沿って基台延設部が延設された基台と、
前記基台基部に設けられた被嵌合部に嵌合される嵌合部を内側に有する一対の側壁部が天壁部で繋がれて、前記第２壁面に沿って配設される他の保護カバーを接続可能な接続口が形成され、嵌合構造で前記基台に一体に組み付けられて、前記配線・配管材の屈曲配設部及び前記貫通孔を覆う蓋体と、
を備え、
前記蓋体の嵌合部は、前記配設方向に連続又は複数が断続して形成されることで、前記蓋体に対する前記基台の基台基部の前記配設方向に沿った組付け位置は、変更可能であり、
前記基台の基台延設部には、当該基台延設部が延びる方向と直交する方向に延在する複数の屈曲変形部が前記配設方向に沿って所定間隔をおいて設けられ、
前記基台延設部の屈曲変形部を選択して屈曲させることで、前記第１壁面に対する配線・配管材の配設方向に沿って異なる少なくとも二つの固定位置に対して、前記第１及び第２の各壁面に傾斜して架け渡る傾斜基台延設部が形成可能であり、
前記蓋体には、前記傾斜基台延設部に係止される係止部が設けられていることを特徴とする入隅部用保護カバー。
【請求項２】
前記基台延設部における第２壁面に配設される部分は、当該第２壁面に固定可能であることを特徴とする請求項１に記載の入隅部用保護カバー。
【請求項３】
前記基台延設部の先端側には、当該基台延設部の長さを調整するための折取り溝が形成されていることを特徴とする請求項２に記載の入隅部用保護カバー。
【請求項４】
前記基台延設部の先端部には、前記他の保護カバーとの幅方向に沿った配置位置を定めるための指標部が設けられ、前記折取り溝により前記基台延設部の先端側が折り取られた後に発生する新たな先端部にも、当該指標部が現れるように構成されていることを特徴とする請求項３に記載の入隅部用保護カバー。
【請求項５】
前記蓋体の接続口には、前記他の保護カバーの端部が外嵌されて、前記第２壁面から蓋体が離間するのを防止するための内壁部が、当該蓋体の少なくとも天壁部の内側に設けられていることを特徴とする請求項１ないし４のいずれかに記載の入隅部用保護カバー。
【請求項６】
建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーであって、
前記第１壁面に固定される基台基部を有する基台と、
前記基台基部に設けられた被嵌合部に嵌合される嵌合部を内側に有する一対の側壁部が天壁部で繋がれて、前記第２壁面に沿って配設される他の保護カバーを接続可能な接続口が形成され、嵌合構造で前記基台に一体に組み付けられて、前記配線・配管材の屈曲配設部及び前記貫通孔を覆う蓋体と、
を備え、
前記蓋体の嵌合部は、前記第１壁面に沿った配線・配管材の配設方向に連続又は複数が断続して形成されることで、前記蓋体に対する前記基台の基台基部の前記配設方向に沿った組付け位置は、変更可能であり、
前記接続口には、当該接続口の内側に挿入された前記他の保護カバーの端部が外嵌されることで、前記蓋体が前記第２壁面から離間するのを防止する離間防止内壁部が、当該蓋体の内側に設けられていることを特徴とする入隅部用保護カバー。
【請求項７】
交差して入隅部を構成する各壁面に沿って配置される基台と、当該基台に一体に組み付けられる蓋体とから成って、配線・配管材における前記入隅部に配設される部分を収容する入隅部用保護カバーの組付け構造であって、
前記基台は、前記入隅部の各壁面に沿って配設されて、少なくとも一方が当該壁面に固定される各基台基部が、当該各壁面に対し傾斜配置される傾斜連設部を介して連設され、
前記基台と蓋体とは、当該基台の一方の壁面に沿った部分に設けられた被嵌合部に、当該蓋体の嵌合部が嵌合され、しかも前記蓋体に設けられた係止部が、前記基台の傾斜連設部に係止されることで、一体に組み付けられることを特徴とする入隅部用保護カバーの組付け構造。
【請求項８】
互いに組み付けられる基台と蓋体とから成って、建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーの設置構造であって、
前記基台が有する基台基部が、前記第１壁面に沿って固定され、当該基台基部から前記配線・配管材の配設方向に延設された基台延設部の一部は、当該基台延設部に設けられた屈曲変形部で屈曲されて、前記入隅部に前記各壁面に傾斜姿勢で架け渡るように配置されることで傾斜基台延設部となっており、
前記蓋体は、前記基台基部に設けられた被嵌合部に嵌合する嵌合部を内側に有する一対の側壁部が天壁部で繋がれて、前記配線・配管材の屈曲部及び前記貫通孔を覆う覆い部を構成しており、当該蓋体の第２壁面の側に設けられた接続口には、当該第２壁面に配設される他の保護カバーの端部が接続可能であり、
前記蓋体に設けられた係止部は、前記基台の前記傾斜基台延設部に係止されていることを特徴とする入隅部用保護カバーの設置構造。
【発明の詳細な説明】
【技術分野】
【０００１】
本発明は、建物の入隅部を構成する各壁面に沿って屈曲配設されて、一方の壁面に貫通形成された貫通孔を通して壁裏に引き出される配線・配管材の屈曲部を内部に収容する入隅部用保護カバー、入隅部用保護カバーの組付け構造、及び設置構造に関するものである。
【背景技術】
【０００２】
建物の入隅部を構成する一方の壁面に配線・配管材の貫通孔が形成され、当該入隅部で屈曲されて、前記貫通孔を貫通して壁裏に配設される配線・配管材の屈曲部（入隅部に配設される部分）を収容する保護カバーは、入隅部を構成する各壁面の少なくとも一方に固定される基台と、当該基台に一体に組み付けられる蓋体とから成り、その一つとして、特許文献１に開示のものが知られている。
【０００３】
特許文献１に開示の保護カバーは、入隅部を構成する二つの壁面のうち貫通口３が形成されない側の壁面に固定されるベース部１４と、当該ベース部１４に一体に組み付けられて、前記貫通口３及び冷媒管（配線・配管材）４における入隅部で屈曲される部分を覆うカバー部１３とから成る。
【０００４】
この結果、カバー部１３における貫通口３を覆う部分は、当該貫通口３が形成された壁面に対して非固定であるため、カバー部１３における非固定側の先端部が壁面に対して浮き上がって、壁面との間に隙間が形成されてしまう。この隙間は、カバー部１３の長さが長い程、大きくなる。これを防止するために、特許文献１では、カバー部１３における非固定側の先端部に凹部を形成して、当該凹部の部分で、カバー部１３における非固定側の先端部を締付部材（ビス）により壁面に固定し、当該凹部に配置された締付部材の頭部をキャップ１６ｂで覆うことで、外観上の見栄えを良好にしてある。
【０００５】
このため、上記したカバー部１３の先端部の浮上り防止構造では、締付部材とキャップ１６ｂが必要であるのみならず、締付部材の締付け及びキャップ１６ｂの覆蓋の施工も面倒となっていた。
【先行技術文献】
【特許文献】
【０００６】
【特許文献１】特開２００７−１４７０５１号公報
【発明の概要】
【発明が解決しようとする課題】
【０００７】
本発明は、入隅部を構成する各側面の一方に配線・配管材の貫通孔が形成され、各壁面の少なくとも一方に固定される基台に覆蓋される蓋体により、入隅部に配設される配線・配管材の屈曲部と前記貫通孔とを覆う構造において、蓋体における前記貫通孔が形成された側の先端部の浮き上がりを、ビスを使用せずに防止することを課題としている。
【課題を解決するための手段】
【０００８】
上記課題を解決するための請求項１の発明は、建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーであって、
前記第１壁面に固定される基台基部に、配線・配管材の配設方向に沿って基台延設部が延設された基台と、
前記基台基部に設けられた被嵌合部に嵌合される嵌合部を内側に有する一対の側壁部が天壁部で繋がれて、前記第２壁面に沿って配設される他の保護カバーを接続可能な接続口が形成され、嵌合構造で前記基台に一体に組み付けられて、前記配線・配管材の屈曲配設部及び前記貫通孔を覆う蓋体と、
を備え、
前記蓋体の嵌合部は、前記配設方向に連続又は複数が断続して形成されることで、前記蓋体に対する前記基台の基台基部の前記配設方向に沿った組付け位置は、変更可能であり、
前記基台の基台延設部には、当該基台延設部が延びる方向と直交する方向に延在する複数の屈曲変形部が前記配設方向に沿って所定間隔をおいて設けられ、
前記基台延設部の屈曲変形部を選択して屈曲させることで、前記第１壁面に対する配線・配管材の配設方向に沿って異なる少なくとも二つの固定位置に対して、前記第１及び第２の各壁面に傾斜して架け渡る傾斜基台延設部が形成可能であり、
前記蓋体には、前記傾斜基台延設部に係止される係止部が設けられていることを特徴としている。
【０００９】
請求項１の発明によれば、基台を構成する基台基部は、配線・配管材の貫通孔が形成された第１壁面に固定されると共に、当該基台基部に延設された基台延設部の屈曲変形部を選択して屈曲させて形成される屈曲変形部は、第１及び第２の各壁面に対してそれぞれ傾斜して架け渡された状態で、入隅部に屈曲配設された配線・配管材は、前記貫通孔を通して壁裏に引き出されて配設され、その後に、前記基台基部に被嵌合部と、蓋体の一対の側壁部に設けられた嵌合部とを嵌合させることで、当該蓋体の内部に、配線・配管材の屈曲部及び貫通孔を収容させて、基台と蓋体とが一体に組み付けられる。基台と蓋体とが一体に組み付けられた状態では、前記蓋体に設けられた係止部は、前記基台延設部の傾斜基台延設部に係止されることで、第１壁面に固定された基台に対して蓋体は、前記第２壁面から離間しないように、当該第２壁面に対して垂直な方向に沿った組付け位置が確定される。
【００１０】
このように、基台は、配線・配管材の貫通孔が形成された第１壁面に固定されるため、当該基台に一体に組み付けられる蓋体の当該第１壁面に沿った側の先端部は、当該第１壁面に密着又は近接して、当該第１壁面に対して浮き上がらなくなる。また、基台を構成する基台延設部の一部は、入隅部に傾斜配置される傾斜基台延設部となって、蓋体に設けられた係止部が当該傾斜基台延設部に係止され、当該係止構造は、第１及び第２の各壁面に対して蓋体が離間しないように作用するため、当該係止構造によっても、当該蓋体における第１壁面の側の先端部の浮き上がりが防止される。よって、蓋体の第１壁面に沿った側の先端部をビス固定する必要がなくなって、当該ビスの固定の手間がなくなると共に、当該先端部の見栄えも良好となる。
【００１１】
また、蓋体の嵌合部は、第１壁面に沿った配線・配管材の配設方向に連続又は複数が断続して形成されることで、当該蓋体に対する当該基台の基台基部の前記配設方向に沿った組付け位置は、変更可能になっているので、第１壁面に形成される貫通孔の入隅部からの距離が異なる場合には、第１壁面における当該貫通孔に近い部分に、基台の基台基部を固定することで、基台と蓋体との嵌合組付け部と、当該蓋体の第１壁面の側の先端部との距離を最少にすることが可能となって、当該蓋体の第１壁面の側の先端部が、当該第１壁面から浮き上がるのを確実に防止できる。
【００１２】
請求項２の発明は、請求項１の発明において、前記基台延設部における第２壁面に配設される部分は、当該第２壁面に固定可能であることを特徴としている。
【００１３】
請求項２の発明によれば、基台は、基台基部の部分で第１壁面に、基台延設部の部分で第２壁面に、それぞれ固定可能であるため、第１及び第２の各壁面に基台の全体をしっかり固定できる。
【００１４】
請求項３の発明は、請求項２の発明において、前記基台延設部の先端側には、当該基台延設部の長さを調整するための折取り溝が形成されていることを特徴としている。
【００１５】
請求項３の発明によれば、基台を構成する基台基部の第１壁面に対する固定位置によって、第２壁面に固定される基台延設部には、第２壁面に配設される他の保護カバーを接続する場合に、余長が生ずることがある。この場合には、基台延設部に設けられた折取り溝を用いて、第２壁面に配設された基台の基台延設部を、前記他の保護カバーとの関係で、最適な長さに調整できるので、本発明に係る入隅部用の保護カバーと、前記他の保護カバーとの接続を適正に行える。
【００１６】
請求項４の発明は、請求項３の発明において、前記基台延設部の先端部には、前記他の保護カバーとの幅方向に沿った配置位置を定めるための指標部が設けられ、前記折取り溝により前記基台延設部の先端側が折り取られた後に発生する新たな先端部にも、当該指標部が現れるように構成されていることを特徴としている。
【００１７】
請求項４の発明によれば、基台の基台延設部の先端側を折取り溝の部分で折り取っても、新たに基台延設部の先端部となる部分には、別の指標部が現れるように構成されているため、第１壁面に対する基台の基台基部の固定位置が変更されて、第２壁面の側に固定配置される基台延設部が折り取られても、本発明に係る保護カバーと、当該第２壁面に配設される他の保護カバーとを、新たに現れた前記指標部により幅方向の配置位置を正しく定めて、両保護カバーを連結できる。
【００１８】
請求項５の発明は、請求項１ないし４のいずれかの発明において、前記蓋体の接続口には、前記他の保護カバーの端部が外嵌されて、前記第２壁面から蓋体が離間するのを防止する内壁部が、当該蓋体の少なくとも天壁部の内側に設けられていることを特徴としている。
【００１９】
請求項５の発明によれば、第２壁面に配設される他の保護カバーの端部を、蓋体の接続口に設けられた内壁部に外嵌すると、第２壁面に固定された前記他の保護カバーによって、当該蓋体が第２壁面から離間できなくなる。よって、第２壁面に対する入隅部用保護カバーの配置位置は、蓋体に設けられた前記係止部による係止構造と、当該蓋体に設けられた離間防止用の内壁部に対する他の保護カバーの蓋体の外嵌構造との双方によって確定されるので、第２壁面に対して蓋体が離間して浮き上がるのを一層確実に防止できる。
【００２０】
請求項６の発明は、建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーであって、
前記第１壁面に固定される基台基部を有する基台と、
前記基台基部に設けられた被嵌合部に嵌合される嵌合部を内側に有する一対の側壁部が天壁部で繋がれて、前記第２壁面に沿って配設される他の保護カバーを接続可能な接続口が形成され、嵌合構造で前記基台に一体に組み付けられて、前記配線・配管材の屈曲配設部及び前記貫通孔を覆う蓋体と、
を備え、
前記蓋体の嵌合部は、前記第１壁面に沿った配線・配管材の配設方向に連続又は複数が断続して形成されることで、前記蓋体に対する前記基台の基台基部の前記配設方向に沿った組付け位置は、変更可能であり、
前記接続口には、当該接続口の内側に挿入された前記他の保護カバーの端部が外嵌されることで、前記蓋体が前記第２壁面から離間するのを防止する離間防止内壁部が、当該蓋体の内側に設けられていることを特徴としている。
【００２１】
請求項６の発明によれば、蓋体の嵌合部は、前記第１壁面に沿った配線・配管材の配設方向に連続又は複数が断続して形成されることで、前記蓋体に対する前記基台の基台基部の前記配設方向に沿った組付け位置は、変更可能であり、第１壁面に形成された貫通孔の入隅部からの距離が異なっている場合でも、第１壁面における当該貫通孔に最も近い位置に基台を固定して、当該基台に蓋体を一体に組み付けられるので、当該蓋体における第１壁面の側の先端部が、ビス固定を必要とせずに、当該第１壁面から浮き上がるのを防止できる。また、蓋体の接続口には、当該接続口の内側に挿入された前記他の保護カバーの端部が外嵌されることで、前記蓋体が前記第２壁面から離間するのを防止する離間防止内壁部が、当該蓋体の内側に設けられているため、第２壁面において他の保護カバーと接続することで、第２壁面に対する蓋体の配置位置が確定されて、当該第２壁面から蓋体が離間しなくなる。
【００２２】
請求項７の発明は、交差して入隅部を構成する各壁面に沿って配置される基台と、当該基台に一体に組み付けられる蓋体とから成って、配線・配管材における前記入隅部に配設される部分を収容する入隅部用保護カバーの組付け構造であって、
前記基台は、前記入隅部の各壁面に沿って配設されて、少なくとも一方が当該壁面に固定される各基台基部が、当該各壁面に対し傾斜配置される傾斜連設部を介して連設され、
前記基台と蓋体とは、当該基台の一方の壁面に沿った部分に設けられた被嵌合部に、当該蓋体の嵌合部が嵌合され、しかも前記蓋体に設けられた係止部が、前記基台の傾斜連設部に係止されることで、一体に組み付けられることを特徴としている。
【００２３】
請求項７の発明によれば、入隅部を構成する各壁面に対して基台の配置位置が、配線・配管材の配設方向に沿ってずれた場合でも、前記嵌合部と被嵌合部との嵌合により、当該基台に対して蓋体が一体に組付けられると共に、当該入隅部には、常に基台の傾斜連設部が配置されて、蓋体に設けられた係止部が、前記傾斜連設部に係止されることで、当該蓋体は、他方の壁面から離間することなく、各壁面に対して定められた特定位置において、基台に対して一体に組み付けられる。請求項７の入隅部用保護カバーは、蓋体における配線・配管材の配設方向の両端部には、他の保護カバーと接続される接続口がそれぞれ設けられている。
【００２４】
請求項８の発明は、互いに組み付けられる基台と蓋体とから成って、建物の入隅部を構成する第１及び第２の各壁面に沿って屈曲配設されて、第１壁面に貫通形成された貫通孔を通して壁裏に引き出される配線・配管材の屈曲部を内部に収容する入隅部用保護カバーの設置構造であって、
前記基台が有する基台基部が、前記第１壁面に沿って固定され、当該基台基部から前記配線・配管材の配設方向に延設された基台延設部の一部は、当該基台延設部に設けられた屈曲変形部で屈曲されて、前記入隅部に前記各壁面に傾斜姿勢で架け渡るように配置されることで傾斜基台延設部となっており、
前記蓋体は、前記基台基部に設けられた被嵌合部に嵌合する嵌合部を内側に有する一対の側壁部が天壁部で繋がれて、前記配線・配管材の屈曲部及び前記貫通孔を覆う覆い部を構成しており、当該蓋体の第２壁面の側に設けられた接続口には、当該第２壁面に配設される他の保護カバーの端部が接続可能であり、
前記蓋体に設けられた係止部は、前記基台の前記傾斜基台延設部に係止されていることを特徴としている。
【００２５】
請求項８の発明は、請求項１の発明を「入隅部用保護カバーの設置構造」の面から把握したものであって、その実質的な内容は、請求項１の発明と同等である。
【発明の効果】
【００２６】
本発明に係る入隅部用保護カバーは、配線・配管材の貫通孔が形成された第１壁面に基台が固定される構成と、基台を構成する基台延設部の一部は、入隅部に傾斜配置される傾斜基台延設部となって、蓋体に設けられた係止部が当該傾斜基台延設部に係止される係止構造とによって、当該蓋体における第１壁面の側の先端部の浮き上がりが防止される。よって、蓋体の第１壁面に沿った側の先端部をビス固定する必要がなくなって、当該ビスの固定の手間がなくなると共に、当該先端部の見栄えも良好となる。
【００２７】
また、蓋体の嵌合部は、第１壁面に沿った配線・配管材の配設方向に連続又は複数が断続して形成されることで、当該蓋体に対する当該基台の基台基部の前記配設方向に沿った組付け位置は、変更可能になっているので、第１壁面に形成される貫通孔の入隅部からの距離が異なる場合には、第１壁面における当該貫通孔に近い部分に、基台の基台基部を固定することで、基台と蓋体との嵌合組付け部と、当該蓋体の第１壁面の側の先端部との距離を最少にすることが可能となって、当該蓋体の第１壁面の側の先端部が、当該第１壁面から浮き上がるのを確実に防止できる。
【図面の簡単な説明】
【００２８】
【図１−Ａ】（ａ）は、本発明に係る入隅部用保護カバーＣ1 の基台Ｖ1 の平面図であり、（ｂ）は、（ａ）のＸ1 −Ｘ1 線断面図である。
【図１−Ｂ】（ｃ）は、入隅部用保護カバーＣ1 の側面図であり、（ｄ），（ｅ）は、図１−Ａ（ａ）のそれぞれＸ2 −Ｘ2 線及びＸ3 −Ｘ3 線の各断面図である。
【図２】（ａ）は、入隅部用保護カバーＣ1 の基台Ｖ1 の非使用状態の斜視図であり、（ｂ），（ｃ）は、それぞれ異なる使用状態の斜視図である。
【図３】基台Ｖ1 を基台延設部２を構成する特定の小片板部１１で折り曲げて、第１及び第２の各壁面Ｗ1 ，Ｗ2 に配置された状態の縦断面図である。
【図４】（ａ），（ｂ）は、それぞれ入隅部用保護カバーＣ1 の蓋体Ｌ1 を異なる方向から見た斜視図である。
【図５】（ａ）〜（ｃ）は、それぞれ入隅部用保護カバーＣ1 の蓋体Ｌ1 の平面図、中央縦断面図及び左側面図である。
【図６】入隅部Ａを構成する第１及び第２の各壁面Ｗ1 ，Ｗ2 に対して入隅部用保護カバーＣ1 を構成する基台Ｖ1 及び蓋体Ｌ1 と、直状保護カバーＣ11を構成する基台Ｖ11及び蓋体Ｌ11との配置関係を示す斜視図である。
【図７】貫通孔Ｈが形成された第１壁面Ｗ1 と第２壁面Ｗ2 に亘って入隅部用保護カバーＣ1 の基台Ｖ1 が固定配置され、第２壁面Ｗ2 に直状保護カバーＣ11の基台Ｖ11が固定配置された状態を示す斜視図である。
【図８】入隅部用保護カバーＣ1 の基台Ｖ1 の基台基部１に蓋体Ｌ1 が組み付けられた斜視図である。
【図９】第２壁面Ｗ2 に固定配置された直状保護カバーＣ11の基台Ｖ11に、入隅部用保護カバーＣ1 の蓋体Ｌ1 に接続された状態で蓋体Ｌ11が組み付けられた斜視図である。
【図１０】エアコンの室内機８２に接続されて、第１壁面Ｗ1 の壁裏に引き出される冷媒管類の入隅部Ａの屈曲配管部が、本発明に係る入隅部用保護カバーＣ1 に収容された状態の斜視図である。
【図１１】本発明に係る入隅部用保護カバーＣ1 の使用状態の縦断面図である。
【図１２】図１１のＹ1 −Ｙ1 線断面図である。
【図１３】図１１のＹ2 −Ｙ2 線断面図である。
【図１４】嵌合構造を示すための基台Ｖ1 と蓋体Ｌ1 とが分離された状態を背面側から見た斜視図である。
【図１５】基台Ｖ1 の傾斜基台延設部２ａ（１１）を介して蓋体Ｌ1 の係止突起３１が係止された状態を背面側から見た斜視図である。
【図１６】図７で示される状態を矢印Ｊの方向から見た図である。
【図１７】（ａ），（ｂ）は、それぞれ基台Ｖ1 の基台延設部２を構成する小片板部１１，１２を折取り溝１３で折り取って、長さを短くした状態の平面図である。
【図１８】基台Ｖ1 の基台延設部２を構成する小片板部１２を折り取って使用している状態の斜視図である。
【図１９】基台Ｖ1 の基台延設部２を構成する小片板部１１，１２全てを折り取って、基台基部１のみを使用している状態の斜視図である。
【図２０】（ａ），（ｂ）は、それぞれ入隅部用保護カバーＣ1 を構成する別の基台Ｖ1'の平面図及び中央縦断面図である。
【図２１】（ａ）〜（ｃ）は、それぞれ入隅部用保護カバーＣ1 を構成する別の基台Ｖ1'の異なる使用状態を示す斜視図及び側面図の組み合せである。
【図２２】（ａ），（ｂ）は、それぞれ入隅部用保護カバーＣ1 を構成する更に別の基台Ｖ1"の使用状態を示す斜視図である。
【図２３】入隅部Ａを構成する第１及び第２の各壁面Ｗ1 ，Ｗ2 に対して入隅部用保護カバーＣ2 を構成する基台Ｖ2 及び蓋体Ｌ2 と、直状保護カバーＣ11を構成する基台Ｖ11及び蓋体Ｌ11との配置関係を示す斜視図である。
【図２４】（ａ），（ｂ）は、それぞれ入隅部用保護カバーＣ2 を構成する基台Ｖ2 を異なる方向から見た斜視図である。
【図２５】（ａ），（ｂ）は、それぞれ入隅部用保護カバーＣ2 を構成する蓋体Ｌ2 を異なる方向から見た斜視図である。
【図２６】入隅部用保護カバーＣ2 の使用状態の縦断面図である。
【発明を実施するための形態】
【００２９】
以下、複数の実施例を挙げて、本発明について更に詳細に説明する。建物の入隅部Ａは、互いに直交する第１及び第２の各壁面Ｗ1 ，Ｗ2 により形成され、本発明に係る入隅部用保護カバーＣ1 ，Ｃ2 は、入隅部Ａを構成する一方の第１壁面Ｗ1 に配管材Ｐを壁裏に引き出すための貫通孔Ｈが形成され、配管材Ｐにおける入隅部Ａの屈曲配管部Ｐａ（図６参照）及び前記貫通孔Ｈを覆うための保護カバーである。各実施例１，２では、第１及び第２の各壁面Ｗ1 ，Ｗ2 は、それぞれ建物の屋内の垂直壁及び異なる垂直壁を接続する短い天井壁で構成される（図１０参照）。
【実施例１】
【００３０】
最初に、図１〜図５を参照して、建物の入隅部Ａを構成する第１及び第２の各壁面Ｗ1 ，Ｗ2 の壁面交差部Ａ1 から異なる距離の位置に前記貫通孔Ｈが形成されている場合において、各貫通孔Ｈに最も近い部分に基台Ｖ1 を固定配置できる入隅部用保護カバーＣ1 について説明する。入隅部用保護カバーＣ1 は、第１及び第２の各壁面Ｗ1 ，Ｗ2 に亘って配置されて、第１及び第２の各壁面Ｗ1 ，Ｗ2 にそれぞれ固定される基台Ｖ1 と、嵌合構造により当該基台Ｖ1 に一体に組み付けられる蓋体Ｌ1 とから成る。基台Ｖ1 及び蓋体Ｌ1 は、いずれも樹脂の射出成形により形成される。
【００３１】
基台Ｖ1 は、図１及び図２に示されるように、第１壁面Ｗ1 に形成された貫通孔Ｈに近接して固定配置される平板状の基台基部１と、当接基台基部１の幅方向Ｒの中央部における配管材Ｐの配設方向Ｑに延設された基台延設部２とから成る。基台基部１は、その幅方向の両端部において蓋体Ｌ1 と嵌合されるために、当該蓋体Ｌ1 と同等の幅を有しているが、基台延設部２は、蓋体Ｌ1 と嵌合されず、後述の傾斜基台延設部２ａを形成することが目的であるので、基台基部１よりも遥かに狭い幅を有している。基台基部１は、長方形の一方の長片が、貫通孔Ｈに対応した円弧凹状に形成されて、長方形の各短辺の部分に直線状の厚肉の立壁３がそれぞれ形成され、各立壁３の外側面は、蓋体Ｌ1 の後述の嵌合部２９と嵌合可能とすべく、アンダーカット状に形成された直線状の被嵌合部４となっている。基台基部１における前記配設方向Ｑと直交する幅方向Ｒに沿った中央部及び両端部には、円形のビス下孔５及び長孔状のビス孔６がそれぞれ形成されている。基台基部１における円弧凹状に形成された部分、及び当該円弧凹状の部分と対向する直線部には、肉薄の立壁７，８によりそれぞれ補強されている。
【００３２】
前記基台延設部２は、基台基部１における円弧凹状の部分と対向する直線部に配管材Ｐの配設方向Ｑに沿って延設され、複数の横長の長方形状の小片板部１１，１２が折取り溝１３を介して折曲げと折取りの双方が可能に連結されることで、全体形状としては、キャタピラー状に形成されている。基台延設部２を構成する複数の小片板部１１，１２のうち基台基部１に対して基端側の複数の小片板部１１は、計４つの各コーナー部に、内側に折り曲げた場合の隣接する２つの各小片板部１１の交差角度（θ）〔図３参照〕が１３５°となるような（２つの各小片板部１１の相対的な折曲げ角度が４５°となるような）折曲げ規制突起１４が幅方向Ｒに沿ってそれぞれ形成されている。なお、基台基部１に一体に連結されている小片板部１１’は、他の小片板部１１に対して前記配設方向Ｑに沿った長さが短くなっている。
【００３３】
各折曲げ規制突起１４の長手方向の両端部は、折曲げ力に抗し得るように補強片１５で補強されている。基台延設部２における基台基部１から最も離間した先端側には、２つの別の小片板部１２が連続して形成され、各小片板部１２には、第２壁面Ｗ2 に固定配置された基台Ｖ1 の基台延設部２に対して第２壁面Ｗ2 に固定配置される直状保護カバーＣ11の基台Ｖ11の幅方向Ｒの位置決めを行うための一対の位置決め片１６が幅方向Ｒに所定間隔をおいて配設方向Ｑに沿って設けられている。なお、先端側の２つの小片板部１２どうしは、相対的に折り曲げられることはないが、折曲げ規制突起１４を有する小片板部１１に連結された内側の小片板部１２は、当該小片板部１１に対して相対的に折り曲げられることがあるので、当該小片板部１２におけ小片板部１１と対向する側の２つのコーナー部には、それぞれ折曲げ規制突起１４が設けられている。また、複数の小片板部１１，１２のうち、最先端の小片板部１２を除く残りは、第１壁面Ｗ1 又は第２壁面Ｗ2 にビス固定されることがあるので、幅方向の中央部にビス孔６が形成されている。
【００３４】
このため、図２（ａ）に示されるように、非使用状態では、平板状をなしている基台Ｖ1 は、図２（ｂ），（ｃ）及び図３に示されるように、入隅部Ａにおける各壁面Ｗ1 ，Ｗ2 の交差部Ａ0 を跨ぐ部分では、隣接する各小片板部１１の交差角が１３５°となるように折り曲げられて、当該交差部Ａ0 を跨ぐ特定の小片板部１１は、各壁面Ｗ1 ，Ｗ2 に架け渡される傾斜基台延設部２ａとして機能する。
【００３５】
蓋体Ｌ1 は、図４及び図５に示されるように、第１及び第２の各壁面Ｗ1 ，Ｗ2 に固定配置される前記基台Ｖ1 の上に配設される配管材Ｐの屈曲配管部Ｐａ及び貫通孔Ｈを覆う部材であって、起立部が短い変則Ｌ字状の配管空間路２１（図１１及び図１２参照）が内部に形成され、対向配置された一対の側壁部２２が天壁部２３で繋がれた形状になっている。蓋体Ｌ1 は、第１及び第２の各壁面Ｗ1 ，Ｗ2 と対向する部分に、それぞれ開口２４，２５が形成され、前記配設方向Ｑに沿った第２壁面Ｗ2 の側の端部には、当該第２壁面Ｗ2 に配設される直状保護カバーＣ11の蓋体Ｌ11が接続される接続口２６が形成されているが、前記配設方向Ｑに沿った第１壁面Ｗ1 の側の端部は、前記天壁部２３に接続された閉塞壁部２７で閉塞されている。
【００３６】
前記一対の側壁部２２及び閉塞壁部２７の開口２４の側の端部には、横断面形状が変則Ｌ字状のフランジ板部２８が形成され、当該フランジ板部２８を構成する起立板部２８ａは、第１壁面Ｗ1 に当接又は近接する部分であって、当該起立板部２８ａの下端部の内側には、直線突条から成る嵌合部２９が形成されている。当該嵌合部２９は、フランジ板部２８における左右の直線状の部分にのみ形成されて、その一端は、第２壁面Ｗ2 と対向する開口２５に達している。
【００３７】
また、図３に示されるように、第１及び第２の各壁面Ｗ1 ，Ｗ2 に亘って基台Ｖ1 を配置すると、当該基台Ｖ1 の基台基部１は、第１壁面Ｗ1 に固定配置され、基台延設部２を構成する複数の小片板部１１，１２は、第１及び第２の各壁面Ｗ1 ，Ｗ2 に分散して固定配置されると共に、複数の小片板部１１のうち特定の一つの小片板部１１のみが各壁面Ｗ1 ，Ｗ2 に架け渡ることで傾斜姿勢で配置されて、傾斜基台延設部２ａとなる。また、第１及び第２の各壁面Ｗ1 ，Ｗ2 に固定配置された基台Ｖ1 に対して蓋体Ｌ1 を一体に組み付けるには、図１４に示されるように、第１壁面Ｗ1 上において、蓋体Ｌ1 を配設方向Ｑに沿って第２壁面Ｗ2 に当接するまでスライドさせることで、基台Ｖ1 の被嵌合部４と、蓋体Ｌ1 の嵌合部２９とを嵌合させている。基台Ｖ1 と蓋体Ｌ1 との上記嵌合構造によって、第１壁面Ｗ1 に形成された貫通孔Ｈの各壁面Ｗ1 ，Ｗ2 の交差部Ａ1 からの距離の違いによっても、常に嵌合可能な構造になっているが、蓋体Ｌ1 が第２壁面Ｗ2 に対して離間する方向にスライドするのを阻止して、基台Ｖ1 と蓋体Ｌ1 とが一体に組み付けられる手段が必要となる。
【００３８】
基台Ｖ1 の上記した配置構造に対応して、蓋体Ｌ1 の一対の側壁部２２の内側面の下端部であって、しかも開口２５に臨む部分には、第１及び第２の各壁面Ｗ1 ，Ｗ2 に固定配置された基台Ｖ1 に対して蓋体Ｌ1 が第１壁面Ｗ1 上で配設方向Ｑに沿って移動するのを阻止するために、前記傾斜基台延設部２ａの平面状の裏面の幅方向の両端部に対して係止される一対の係止突起３１が対向して一体に設けられている。前記傾斜基台延設部２ａは、第１及び第２の各壁面Ｗ1 ，Ｗ2 に対して角度４５°だけ傾斜して配置されるので、図３に示されるように、前記係止突起３１における前記傾斜基台延設部２ａの裏面に密着して係止される係止面３１ａは、蓋体Ｌ1 の開口２５の面に対して４５°だけ傾斜して形成されている。
【００３９】
また、図４、図５及び図１１に示されるように、蓋体Ｌ1 における直状保護カバーＣ11の蓋体Ｌ11と接続される接続口２６には、当該蓋体Ｌ11が外嵌される内壁部３２が当該接続口２６のほぼ全周に亘って形成されている。即ち、蓋体Ｌ1 の一対の側壁部２２及び天壁部２３における接続口２６を形成する端部の内側に所定間隔をおいて前記内壁部３２が形成され、当該内壁部３２は、内側の端部において連結板部３３を介して一対の側壁部２２及び天壁部２３の内側面に一体に接続されている。接続口２６を形成している一対の側壁部２２及び天壁部２３は、前記内壁部３２に対して外壁部３４として機能し、当該内壁部３２と外壁部３４とで形成される挿入隙間３５に、直状保護カバーＣ11の蓋体Ｌ11の端部に挿入されて、入隅部用保護カバーＣ1 の蓋体Ｌ1 と、直状保護カバーＣ11の蓋体Ｌ11とが接続された状態では、入隅部用保護カバーＣ1 の蓋体Ｌ1 の内壁部３２が、直状保護カバーＣ11の蓋体Ｌ11に当接することで、入隅部用保護カバーＣ1 の蓋体Ｌ1 は、第２壁面Ｗ2 に対して離間不能となり、蓋体Ｌ1 の接続口２６に設けられた内壁部３２を用いた各蓋体Ｌ1 ，Ｌ11の当該接続構造と、上記した蓋体Ｌ1 の係止突起３１と傾斜基台延設部２ａとの係止構造との双方によって、基台Ｖ1 に対する蓋体Ｌ1 の当該第２壁面Ｗ2 に対して垂直な方向に沿った組付け位置が確定される。ここで、前記内壁部３２は、蓋体Ｌ1 の一対の側壁部２２及び天壁部２３の間に連続して設けられているが、入隅部用保護カバーＣ1 が第２壁面Ｗ2 から離間するのを防止する離間防止片としての機能を果す面からは、蓋体Ｌ1 の天壁部２３のみに形成されていてもよい。また、入隅部用保護カバーＣ1 の接続口に接続される他の保護カバーの形状によっては、蓋体Ｌ1 の側壁部２２のみに内壁部３２を設けてもよい。
【００４０】
なお、第２壁面Ｗ2 に配設されて、本発明の入隅部用保護カバーＣ1 の蓋体Ｌ1 の接続口２６に接続される直状保護カバーＣ11は、図６及び図１３に示されるように、横断面視で凹凸を有する板状の基台Ｖ11と、当該基台Ｖ11に覆蓋される横断面Ｕ字状の蓋体Ｌ11とから成り、当該基台Ｖ11には、入隅部用保護カバーＣ1 の基台Ｖ1 の基台延設部２の最先端に設けられた一対の位置決め片１６を挿入して、当該基台Ｖ1 に対する基台Ｖ11の幅方向の位置決めを行う一対の位置決め溝７１が長手方向に連続して形成されている。直状保護カバーＣ11の蓋体Ｌ11は、一対の側壁部７２が、基台Ｖ11の幅に対応する幅を有して対向配置されて、天壁部７３が繋がれた構成であり、基台Ｖ11と蓋体Ｌ11とは、当該基台Ｖ11の幅方向の両端部に設けられた各嵌合凹部７４に、前記蓋体Ｌ11の嵌合凸部７５が嵌合されることで、一体に組み付けられる（図１３参照）。
【００４１】
次に、図６〜図１３を参照して、建物の入隅部Ａに配管された配管材Ｐが、当該入隅部Ａで屈曲されて、当該入隅部Ａを構成する垂直な第１壁面Ｗ1 に明けられた貫通孔Ｈを通して、当該配管材Ｐを壁裏に引き出された状態において、配管材Ｐの入隅部Ａの屈曲配管部Ｐａ及び前記貫通孔Ｈを、上記した入隅部用保護カバーＣ1 で覆う施工法について説明する。第１壁面Ｗ1 の貫通孔Ｈが明けられた部分は、当該貫通孔Ｈの第１壁面Ｗ1 の側の周縁部を覆って、配管材Ｐを保護する保護リング８１で覆われている。また、貫通孔Ｈは、新設の場合もあるが、既設の貫通孔を利用して、エアコンの室内機８２を設置する場合もあるので、入隅部Ａの各壁面Ｗ1 ，Ｗ2 の交差部Ａ0 から前記貫通孔Ｈの外周縁までの長さは、種々存在する。本発明に係る入隅部用保護カバーＣ1 の基台Ｖ1 は、このような事態に対応可能とすべく、貫通孔Ｈの最も近い位置に基台基部１を固定可能な構造にしてある。
【００４２】
図６に示される例では、貫通孔Ｈは、交差部Ａ0 から離れた位置に明けられているため、最先端の小片板部１２を折り取ることなくそのまま使用する。第１及び第２の各壁面Ｗ1 ，Ｗ2 に対する基台Ｖ1 の固定位置は、基台基部１が、第１壁面Ｗ1 における貫通孔Ｈの周縁部の最も近い位置に配置され、しかも基台延設部２の特定の小片板部１１を、両側に隣接する各小片板部１１又は同１２に対して１３５°の角度で折り曲げて、第１及び第２の各壁面Ｗ1 ，Ｗ2 の交差部Ａ0 に配置可能な二つの各条件を満足する位置である。基台Ｖ1 を構成する基台基部１及び各壁面Ｗ1 ，Ｗ2 の交差部Ａ0 に傾斜配置された傾斜基台延設部２ａの前後の各小片板部１１，１２は、それぞれビスＢを用いて第１及び第２の各壁面Ｗ1 ，Ｗ2 に固定される。これにより、図７に示されるように、基台Ｖ1 の基台延設部２を構成する特定の小片板部１１である傾斜基台延設部２ａは、各壁面Ｗ1 ，Ｗ2 に対してしっかり固定されるので、当該基台延設部２と、後述の蓋体Ｌ1 の各係止突起３１との係止が可能となる。
【００４３】
次に、第２壁面Ｗ2 において、入隅部用保護カバーＣ1 の基台延設部２の最先端の小片板部１２に設けられた一対の位置決め片１６を、直状保護カバーＣ11の基台Ｖ11の一対の位置決め溝７１に挿入して、基台Ｖ1 に対する別の基台Ｖ11の幅方向の位置決めを行って、直状保護カバーＣ11の基台Ｖ11をビスＢを介して第２壁面Ｗ2 に固定する。
【００４４】
そして、図６、図７、図１４〜図１６に示されるように、第１壁面Ｗ1 上において、入隅部用保護カバーＣ1 の蓋体Ｌ1 を第１壁面Ｗ1 に密着させた状態で、各壁面Ｗ1 ，Ｗ2 の交差部Ａ0 に向けてスライドさせると、直線状の蓋体Ｌ1 の嵌合部２９に対して同じく直線状の基台Ｖ1 の被嵌合部４が互いに嵌合された状態で、当該蓋体Ｌ1 の開口２５の側の端面が第２壁面Ｗ2 に当接するまでスライドされる。蓋体Ｌ1 の開口２５の側の端面が第２壁面Ｗ2 に当接する直前において、蓋体Ｌ1 の一対の側壁部２２の開口２５の側の各端部に設けられた一対の係止突起３１は、前記傾斜基台延設部２ａの幅方向の両端部に当接することで、蓋体Ｌ1 の一対の側壁部２２が僅かに外方に拡開するように弾性変形され、当該各係止突起３１が傾斜基台延設部２ａを通過した後に、蓋体Ｌ1 の一対の側壁部２２は、原形状に復元して、図１５及び図１６に示されるように、左右一対の係止突起３１は、前記傾斜基台延設部２ａの裏面側に配置されて、接続口２６に対して交差角度４５°で対向する各係止面３１ａが、当該傾斜基台延設部２ａの裏面に密着する。これにより、図８、図１１及び図１２に示されるように、第１及び第２の各壁面Ｗ1 ，Ｗ2 に固定された基台Ｖ1 に対して蓋体Ｌ1 は、第１及び第２の各壁面Ｗ1 ，Ｗ2 の両方向に沿ってスライド不能となって、基台Ｖ1 に対して蓋体Ｌ1 が一体に組み付けられて固定される。
【００４５】
ここで、各壁面Ｗ1 ，Ｗ2 に固定配置された基台Ｖ1 に対する蓋体Ｌ1 の組付けは、上記した方向のスライドによる他に、固定配置された基台Ｖ1 に対して蓋体Ｌ1 を各壁面Ｗ1 ，Ｗ2 の交差部Ａ0 に向けて押し付けることも可能であり、この場合には、対向配置された各側壁部２２が外方に僅かに弾性変形されて、対向配置された各嵌合部２９が外方に押し拡げられた後に、原位置に復元することで、基台Ｖ1 の被嵌合部４と、蓋体Ｌ1 の嵌合部２９とが嵌合される。更に、各壁面Ｗ1 ，Ｗ2 に入隅部用保護カバーＣ1 及び直状保護カバーＣ11の各基台Ｖ1 ，Ｖ11を接続状態で固定配置して、各基台Ｃ1 ，Ｃ11に配管材Ｐを配設した後に、直状保護カバーＣ11の基台Ｖ11に蓋体Ｌ11を、第２壁面Ｗ2 に対して垂直な方向に押し付けて組み付けた後に、入隅部用保護カバーＣ1 の蓋体Ｌ1 を第１壁面Ｗ1 に沿ってスライドさせて第２壁面Ｗ2 に対して押し付け、固定配置されている基台Ｖ1 に対して蓋体Ｌ1 を組み付けることで、組付け済の直状保護カバーＣ11の蓋体Ｌ11の端部は、入隅部用保護カバーＣ1 の蓋体Ｌ1 で覆われた状態で、第２壁面Ｗ2 に向けて押し付けられる。このため、入隅部用保護カバーＣ1 及び直状保護カバーＣ11の各蓋体Ｌ1 ，Ｌ11の押付け方向が同一となって、入隅部用保護カバーＣ1 及び直状保護カバーＣ11の双方がしっかりと組み付けられる。なお、直状保護カバーＣ11の蓋体Ｌ11と、入隅部用保護カバーＣ1 の蓋体Ｌ1 とを互いに接続状態としてから、各基台Ｖ1 ，Ｖ11に同時に組み付けてもよい。
【００４６】
次に、図１１、図１３及び図１６に示されるように、直状保護カバーＣ11の蓋体Ｌ11の先端部を、入隅部用保護カバーＣ1 の蓋体Ｌ1 の接続口２６の内壁部３２及び外壁部３４との間に形成された挿入空間３５に挿入して、第２壁面Ｗ2 に固定された基台Ｖ11に対して当該蓋体Ｌ11を一体に組み付けると、図９に示されるように、入隅部用保護カバーＣ1 に対して直状保護カバーＣ11が接続されて、図１０に示されるように、エアコンの室内機８２に接続されている配管材（冷媒管）Ｐの室内側の部分は、入隅部用保護カバーＣ1 、直状保護カバーＣ11を含む複数のカバーに収容・保護される。
【００４７】
このように、直状保護カバーＣ11の蓋体Ｌ11の先端部が、入隅部用保護カバーＣ1 の蓋体Ｌ1 の接続口２６の内壁部３２及び外壁部３４との間に形成された挿入空間３５に挿入されると、図１１及び図１３に示されるように、入隅部用保護カバーＣ1 の蓋体Ｌ1 の接続口２６に形成された内壁部３２における当該蓋体Ｌ1 の天壁部２３に対応する部分は、直状保護カバーＣ11の蓋体Ｌ11の天壁部７３の内側に配置され、この配置構造によって、入隅部用保護カバーＣ1 の蓋体Ｌ1 は、第２壁面Ｗ2 から離間する方向にスライドできなくなる。蓋体Ｌ1 の内壁部３２における天壁部２３に対応する部分の幅方向の中央部の外面は、他の部分よりも僅かに厚肉に形成された当接部３２ａとなっていて、当該当接部３２ａは、直状保護カバーＣ11の蓋体Ｌ11の天壁部７３の内面に当接している（図１３参照）。この配置構造と、上記した蓋体Ｌ1 の係止突起３１と基台Ｖ1 の傾斜基台延設部２ａ（１１）との係止構造との双方によって、入隅部用保護カバーＣ1 の蓋体Ｌ1 は、第１壁面Ｗ1 に沿った配設方向Ｑにスライド不能となって、第１及び第２の各壁面Ｗ1 ，Ｗ2 に固定配置された基台Ｖ1 に対して当該蓋体Ｌ1 が一体に組み付けられる。
【００４８】
このように、嵌合構造により蓋体Ｌ1 が一体に組み付けられる基台Ｖ1 の基台基部１は、第１壁面Ｗ1 であって、しかも当該第１壁面Ｗ1 に形成された貫通孔Ｈに最も近い部分に固定配置されているため、第１及び第２の各壁面Ｗ1 ，Ｗ2 に固定配置された基台Ｖ1 に一体に組み付けられた蓋体Ｌ1 の第１壁面Ｗ1 の側の先端部３７（図９及び図１１参照）は、ビス固定を用いることなく、浮き上がりが防止されて、当該第１壁面Ｗ1 に密着又は近接した状態が維持される。このため、ビス止めの手間がなくなって、蓋体Ｌ1 の先端部の見栄えが良好となる。
【００４９】
また、図１７〜図１９に示されるように、第１及び第２の各壁面Ｗ1 ，Ｗ2 の交差部Ａ0 からの貫通孔Ｈの配置位置に応じて、最先端の１枚の小片板部１２を折り取ったり、或いは全ての小片板部１１，１２を折り取ることで、基台Ｖ1 の基台基部１を当該貫通孔Ｈに最も近い位置に固定配置することができて、ビス固定を用いることなく、蓋体Ｌ1 の先端部３７の浮き上がりを好適に防止できる。ここで、図１８は、貫通孔Ｈの貫通形成位置が、上記例に比較して各壁面Ｗ1 ，Ｗ2 の交差部Ａ0 に近い場合であって、直状保護カバーＣ11との接続において、最先端の小片板部１２が接続の障害となるので、当該最先端の小片板部１２を折り取って、次の小片板部１２に設けられた一対の位置決め片１６を用いて、入隅部用保護カバーＣ1 の基台Ｖ1 に対する直状保護カバーＣ11の基台Ｖ11の位置決めを行う例である。図１９は、各壁面Ｗ1 ，Ｗ2 の交差部Ａ0 に近接して第１壁面Ｗ1 に貫通孔Ｈが貫通形成されているため、基台Ｖ1 の全ての小片板部１１，１２を折り取って、第１壁面Ｗ1 に明けられた貫通孔Ｈにおける交差部Ａ0 と反対側に基台基部１を固定配置した例である。
【００５０】
実施例１の入隅部用保護カバーＣ1 では、図２０及び図２１に示される基台Ｖ1'並びに図２２に示される基台Ｖ1"を使用することもできる。なお、上記した基台Ｖ1 に対応する部分は、同一符号を用いて、図示のみ行う。基台Ｖ1'は、基台延設部４０を構成していて、折曲げ可能に連結された複数の小片板部４１，４２の両端部に、それぞれ第１及び第２の各壁面Ｗ1 ，Ｗ2 に固定される横長の長方形状の各基台基部４３が連結された構成であり、複数の折曲げ溝４４のうち特定の１又は２の折曲げ溝４４を選択して折り曲げることで、図２１（ａ）〜（ｃ）に示されるように、異なる態様（形状）で使用可能である。このため、基台Ｖ1'に対応する蓋体における第１及び第２の各壁面Ｗ1 ，Ｗ2 に配置される側壁部には、当該基台Ｖ1'の各基台基部４３の幅方向Ｒの両端部に配設方向Ｑに沿って形成された各被嵌合部４５に対応する嵌合部がそれぞれ形成される。
【００５１】
基台Ｖ1"は、折曲げ溝４６を介して折曲げ可能な２枚の小片板部４７に、それぞれ第１及び第２の各壁面Ｗ1 ，Ｗ2 に固定される基台基部４８が折曲げ溝４６を介して折曲げ可能に連結され、各基台基部４８に、当該各基台基部４８に連結される直状保護カバーＣ11の基台Ｖ11の幅方向の位置決めを行う一対の位置決め片１６が形成された構成である。図２２（ａ）の使用例では、２枚の小片板部４７は、各壁面Ｗ1 ，Ｗ2 に密着されることなく、各壁面Ｗ1 ，Ｗ2 の交差部Ａ0 に傾斜配置され、図２２（ｂ）の使用例では、２枚の小片板部４７は、それぞれ第１及び第２の各壁面Ｗ1 ，Ｗ2 に密着状態で固定配置される。なお、基台Ｖ1"に対応する蓋体は、上記実施例１の蓋体Ｌ1 のように、配管材Ｐの配設方向Ｑに沿った一端部が閉塞板部２７で閉塞されておらず、配管材Ｐの配設方向Ｑに沿った両端部に、いずれも接続口が設けられた構成であって、入隅部Ａを構成する第１及び第２の各壁面Ｗ1 ，Ｗ2 に配設される各直状保護カバーの端部を、当該入隅部Ａで接続するものである。
【００５２】
また、図２１（ｂ），（ｃ）に示されるように、上記した基台Ｖ1'を構成する複数の小片板部４１，４２のうち、各壁面Ｗ1 ，Ｗ2 に対して傾斜配置される小片板部４１，４２の選択により、傾斜基台延設部４０ａの各壁面Ｗ1 ，Ｗ2 の交差部Ａ0 からの距離が異なる。これに対応して、蓋体に形成されて、基台Ｖ1'の傾斜基台延設部４０ａに係止される係止突起の形成位置は、前記交差部Ａ0 からの距離が異なる位置に複数が設けられる。
【００５３】
また、上記した基台Ｖ1 において、各小片板部１１，１２の幅を、基台基部１の幅と同一にして、当該各小片板部１１，１２の幅方向の両端部に、蓋体Ｌ1 の嵌合部２９と嵌合される被嵌合部を形成してもよい。更に、各壁面Ｗ1 ，Ｗ2 に傾斜姿勢で配置されて、蓋体の係止突起に係止される傾斜基台延設部２ａ，４０ａに対応する部材は、別体で形成してもよい。
【実施例２】
【００５４】
次に、図２３〜図２６を参照して、本発明の実施例２の入隅部用保護カバーＣ2 について説明する。入隅部用保護カバーＣ2 は、第１壁面Ｗ1 における各壁面Ｗ1 ，Ｗ2 の交差部Ａ0 と貫通孔Ｈとの間に固定配置される基台Ｖ2 と、配管材Ｐの屈曲配管部Ｐａと前記貫通孔Ｈとを覆った状態で、前記基台Ｖ2 に一体に組み付けられる蓋体Ｌ2 とから成る。
【００５５】
基台Ｖ2 は、図２４に示されるように、長方形板の一方の長辺が貫通孔Ｈに対応する円弧凹状に形成された基台基部５１の配設方向Ｑと直交する幅方向Ｒの両端部に厚肉状の立壁５２がそれぞれ形成され、当該各立壁５２の外側部が直線状の被嵌合部５３となっている。基台基部５１における各立壁５２の内側には、補強突部５４が配設方向Ｑに形成され、基台基部５１の一方の長辺の部分には、薄肉状の直線状の立壁５５が設けられていると共に、基台基部５１の円弧凹状に形成された部分における幅方向の両端部は、別の薄肉状の立壁５６が形成され、基台基部５１における幅方向Ｒの両端部には、ビスＢを挿通する長孔状のビス孔５７が形成されている。
【００５６】
蓋体Ｌ2 は、図２５に示されるように、実施例１の蓋体Ｌ1 に対して、一対の側壁部２２及び天壁部２３のみの長さを短くし、かつ係止突起３１を欠落させて、残りの部分は、同一形状にしたものであるので、対応部分に同一符号又は同一符号に「’」を付して、図示のみ行う。
【００５７】
よって、図２３及び図２６に示されるように、第１壁面Ｗ1 における各壁面Ｗ1 ，Ｗ2 の交差部Ａ0 と貫通孔Ｈとの間に、入隅部用保護カバーＣ2 の基台Ｖ2 を固定配置すると共に、第２壁面Ｗ2 の設定位置に直状保護カバーＣ11の基台Ｖ11を固定配置した状態で、第１壁面Ｗ1 上において入隅部用保護カバーＣ2 の蓋体Ｌ2 を配設方向Ｑにスライドさせて、開口２５の端面を当該第２壁面Ｗ2 に当接させて、基台Ｖ2 の被嵌合部５３と蓋体Ｌ2 の嵌合部２９’とを嵌合させる。その後に、第２壁面Ｗ2 上において、直状保護カバーＣ11の蓋体Ｌ11を配設方向Ｑにスライドさせて、その先端部を、前記蓋体Ｌ2 の内壁部３２と外壁部３４との間の挿入空間３５に挿入させた状態で、嵌合凹部７４と嵌合凸部７５との嵌合により、第２壁面Ｗ2 に固定配置された基台Ｖ11に対して蓋体Ｌ11を一体に組み付けると、前記蓋体Ｌ2 は、その内壁部３２が、第２壁面Ｗ2 に対して固定配置された直状保護カバーＣ11の蓋体Ｌ11の天壁部７３の内側面に当接することで、入隅部用保護カバーＣ2 の蓋体Ｌ2 は、第２壁面Ｗ2 に対して離間することなく、基台Ｖ2 に対して一体に組み付けられる。
【００５８】
なお、基台Ｖ1"の部分で説明したように、本発明は、配管材を壁裏に引き出すための貫通孔が、入隅部を構成する一方の壁面に形成されて、入隅部を構成する各壁面の少なくとも一方に固定された基台に対して一体に組み付けられる蓋体は、配管材の屈曲配管部及び前記貫通孔を覆うために、蓋体における貫通孔が形成された側に配置される部分の配設方向に沿った先端部は、閉塞板部２７で閉塞されている。しかし、本発明は、蓋体における配管材Ｐの配設方向Ｑに沿った一端部が閉塞板部２７で閉塞されておらず、配管材Ｐの配設方向Ｑに沿った両端部に、いずれも接続口が設けられた構成であって、入隅部Ａを構成する第１及び第２の各壁面Ｗ1 ，Ｗ2 に配設される各直状保護カバーの端部を、当該入隅部Ａで接続する構成のものに対しても適用可能である。
【符号の説明】
【００５９】
Ａ：入隅部
Ａ0 ：各壁面の交差部
Ｃ1 ，Ｃ2 ：入隅部用保護カバー
Ｃ11：直状保護カバー
Ｈ：貫通孔
Ｌ1,Ｌ2 ：入隅部用保護カバーの蓋体
Ｌ11：直状保護カバーの蓋体
Ｐ：配管材（配線・配管材）
Ｐａ：屈曲配管部
Ｑ：配管材の配設方向
Ｒ：配設方向と直交する幅方向
Ｖ1,Ｖ2 ：入隅部用保護カバーの基台
Ｖ11：直状保護カバーの基台
Ｗ1 ：第１壁面
Ｗ2 ：第2 壁面
θ：傾斜基台延設部の交差角度
１：基台基部
２：基台延設部
２ａ：傾斜基台延設部
４：被嵌合部
１１，１２：小片板部
１３：折取り溝
１６：位置決め片（指標部）
２１：配管空間路
２２：側壁部
２３：天壁部
２６：接続口
２９：嵌合部
３１：係止突起
３１a ：係止面
３２：内壁部
３４：外壁部
３５：挿入空間
３７：蓋体の先端部
５１：基台基部
５３：被嵌合部
【図１−Ａ】
2019190689.tif 000003
【図１−Ｂ】
2019190689.tif 000004
【図２】
2019190689.tif 000005
【図３】
2019190689.tif 000006
【図４】
2019190689.tif 000007
【図５】
2019190689.tif 000008
【図６】
2019190689.tif 000009
【図７】
2019190689.tif 000010
【図８】
2019190689.tif 000011
【図９】
2019190689.tif 000012
【図１０】
2019190689.tif 000013
【図１１】
2019190689.tif 000014
【図１２】
2019190689.tif 000015
【図１３】
2019190689.tif 000016
【図１４】
2019190689.tif 000017
【図１５】
2019190689.tif 000018
【図１６】
2019190689.tif 000019
【図１７】
2019190689.tif 000020
【図１８】
2019190689.tif 000021
【図１９】
2019190689.tif 000022
【図２０】
2019190689.tif 000023
【図２１】
2019190689.tif 000024
【図２２】
2019190689.tif 000025
【図２３】
2019190689.tif 000026
【図２４】
2019190689.tif 000027
【図２５】
2019190689.tif 000028
【図２６】
2019190689.tif 000029